(57)【要約】【課題】  測定機器を用いることなく、対象物と被検者との相互作用を簡便でより高精度に測定することができる方法を提供する。【解決手段】  被検者の近傍に対象物を配置させ、この状態で、被検者はオーリングを構成する他の指ｆの長手方向の複数の位置でオーリングの開裂を試みる操作を実施し、オーリングが開裂したと判断した場合、図１（ｂ）に示したように、オーリング内に挿入した測定用指ＦＭに設けた第１目印Ｇ１の第１計測部Ｍ１における位置である測定点Ｔを求める。また、被検者は、当該測定点Ｔが、オーリングを構成する他の指ｆにおいて、対象物を離隔させた状態で定めた基点Ｓより先端側であるか否かを判断するとともに、測定点Ｔと基点Ｓとの間の距離を第１計測部Ｍ１の目盛りを用いて計測する。【選択図】  図１
2019205797.tif 000002
【特許請求の範囲】
【請求項１】
被検者の一方の手の第１指の先端部と他の指の先端部とを互いに当接させてオーリングを形成し、このオーリング内に被検者の他方の手の２本の指を挿入し、挿入した２本の指を互いに離隔させて前記オーリングが開裂するか否かによって、被検者と対象物との相互作用を測定するに際し、
前記対象物を被検者から離隔させた状態で、前記オーリング内に挿入させる２本の指の内のオーリングを構成する他の指に当接させる側の測定用指を、前記オーリングを構成する他の指の長手方向の異なる複数の位置にそれぞれ当接させ、各位置で前記オーリングが開裂するか否かによって基点を定め、又は／及び、前記測定用指の長手方向の異なる複数の位置に前記オーリングを構成する他の指をそれぞれ当接させ、各位置で前記オーリングが開裂するか否かによって基点を定め、
前記対象物を被検者の近傍に配置させた状態で、前記測定用指を前記オーリングを構成する他の指の長手方向の異なる複数の位置にそれぞれ当接させ、各位置で前記オーリングが開裂するか否かによって測定点を定め、又は／及び、測定用指の長手方向の異なる複数の位置に前記オーリングを構成する他の指をそれぞれ当接させ、各位置で前記オーリングが開裂するか否かによって測定点を定め、
前記測定点と基点との相対位置及び両者間の距離に基づいて、被検者と前記対象物との間の相互作用を求める
ことを特徴とする測定方法。
【請求項２】
前記他の指の長手方向に基点を定めるに当たって、測定用指の長手方向の所定位置を前記他の指に当接させ、又は／及び、前記測定用指の長手方向に基点を定めるに当たって、前記他の指の長手方向の所定位置に測定用指を当接させる請求項１記載の測定方法。
【請求項３】
前記他の指の長手方向、又は／及び、前記測定用指の長手方向に、複数の目盛りを有する計測部を設けておき、測定点と基点との間の距離は計測部を用いて計測する請求項１又は２に記載の測定方法。
【請求項４】
前記測定用指の先端部であって当該測定用指の幅方向の適宜位置に第１目印を設ける請求項１から３のいずれかに記載の測定方法。
【請求項５】
予め前記測定用指にその中心軸と直交する第２目印を設け、また前記他の指の先端部にその中心軸と平行な第３目印を設けておき、第２目印及び第３目印を用いて、前記基点及び測定点を定める請求項１から４のいずれかに記載の測定方法。
【発明の詳細な説明】
【技術分野】
【０００１】
本発明は、対象物と被検者との相互作用を測定する方法に関する。
【背景技術】
【０００２】
物体と物体との間には相互作用が存在していることは周知の事実であるが、対象物と被検者との間にも、複数の対象物毎、複数の被検者別に、それぞれ異なる相互作用が存在している。かかる対象物と被検者との相互作用を検出する方法として、例えば次のようなオーリングテストが開発されている。
【０００３】
図４はオーリングテストに係る従来の検出方法を説明する説明図であり、図中、Ｈは被検者の手、またＰは検出者の手をそれぞれ示している。
【０００４】
図４に示した如く、被検者の一方の手Ｈの親指の先端と当該手Ｈの他の指の先端とを互いに当接させて円形状のオーリングＯを形成した後、検出者の両手Ｐ，Ｐの親指と人差し指とでそれぞれ同様のオーリングを形成し、検出者の両オーリングを被検者のオーリングＯを形成する親指及び他の指に各別に外嵌させる。
【０００５】
一方、例えば被検者の他方の手に対象物を接触させ、又は被検者の近傍に対象物を配置しておく。そして、検出者が自身の両手に互いに離隔する方向への力を漸次印加し、被検者のオーリングＯが開いたときにおける検出者の離隔力の印加程度によって、被検者の当該対象物に対する相互作用の程度を検出していた。
【０００６】
しかし、かかる方法では、被検者と対象物との相互作用を、検出者の感覚として検出するに過ぎないため、正確性に欠けており、また検出者が必要であることから、時と場所と選ばず、被検者と対象物との相互作用を検出することができなかった。そのため、後記する特許文献１には、次のような装置が提案されている。
【０００７】
図５は特許文献１に開示されたオーリングテスト器の構成を説明する説明図であり、図中、６０は、ピストン６３を内蔵するエアシリンダである。エアシリンダ６０は底板７０上に縦に固定してあり、ピストン６３から延設されたロッド６４はエアシリンダ６０の天井部を貫通させてある。エアシリンダ６０のピストン６３で仕切られる天井側の圧力室６２には、被検者が着座可能に縦方向に蛇腹になした空気ポンプ５０から圧搾空気が供給されるようになっており、空気ポンプ５０からエアシリンダ６０内に圧搾空気が供給された場合、ピストン６３が底板７０側に移動するため、ロッド６４がエアシリンダ６０内へ退行するようになっている。
【０００８】
ロッド６４の先端には、長手方向の中途位置で揺動自在に支持された作動レバー７２の一端が連結してあり、作動レバー７２の他端には被検者の指を貫通させるための可動リング８０が垂下してある。可動リング８０より底板７０側へ少し距離を隔てた位置には、被検者の親指を貫通させるための固定リング８１が配設してあり、該固定リング８１は底板７０に立設した支持桿８２にて支持されている。
【０００９】
前述したエアシリンダ６０の天井には圧力室６２内の圧力を調整する圧力調整部６５及び圧力室６２内の空気を排出するための排気部６６が各別に設けてあり、圧力調整部６５の調整ネジ６５ａを正逆回動させることによって、圧力室６２内を任意の圧力に調整し得るようになっている。
【００１０】
このようなオーリングテスト器では、固定リング８１に被検者の一方の手の親指を、また可動リング８０に被検者の一方の手の他の指を挿通させるとともに、挿通させた両指の先端を互いに当接させてオーリングを形成する。次いで、被検者が空気ポンプ５０上に着座することによって、空気ポンプ５０からエアシリンダ６０の圧力室６２内へ圧搾空気を供給させて、ピストン６３を底板７０側へ移動させてロッド６４を退行させ、これによって作動レバー７２の他端に垂下した可動リング８０を固定リング８１から離隔する方向へ揺動させる。このとき、前述したオーリングが開裂しないように、調整ネジ６５ａをして圧力室６２内の圧力を調整しておく。
【００１１】
次に、被検者の他方の手に対象物を接触させた状態で、被検者が調整ネジ６５ａを操作しないこと以外は前同様の操作を実施し、前述したオーリングが開裂するか否かを測定する。このとき、オーリングが開裂した場合は、当該対象物と当該被検者との相互作用はマイナスであると判断する。一方、オーリングが開裂しなかった場合は、前記調整ネジ６５ａをして圧力室６２の圧力を少し高めた後、前同様の操作を実施し、その状態でもオーリングが開裂しなかった場合は、当該対象物と当該被検者との相互作用はプラスであると判断する。一方、その状態でオーリングが開裂した場合は、当該対象物と当該被検者との相互作用はプラスマイナス略零であると判断する。
【先行技術文献】
【特許文献】
【００１２】
【特許文献１】特開平８−６０１号公報
【発明の概要】
【発明が解決しようとする課題】
【００１３】
このようなオーリングテスト器を用いる測定方法にあっては、一定の圧力を生成し、該圧力によって被検者の指で形成したオーリングを開裂させるように構成してあるため、対象物と被検者との相互作用の有無を、第三者によらず被検者が自ら比較的精度良く測定することができるものの、かかる機器が無い環境では対象物と被検者との相互作用を測定することができない。また、対象物と被検者との相互作用を測定するためには、前述した如く調整ネジ６５ａを細目に調整しなければならず、測定作業が煩雑である。
【００１４】
本発明は斯かる事情に鑑みてなされたものであって、測定機器を用いることなく、対象物と被検者との相互作用を簡便でより高精度に測定することができる方法を提供する。
【課題を解決するための手段】
【００１５】
（１）本発明に係る測定方法は、被検者の一方の手の第１指の先端部と他の指の先端部とを互いに当接させてオーリングを形成し、このオーリング内に被検者の他方の手の２本の指を挿入し、挿入した２本の指を互いに離隔させて前記オーリングが開裂するか否かによって、被検者と対象物との相互作用を測定するに際し、前記対象物を被検者から離隔させた状態で、前記オーリング内に挿入させる２本の指の内のオーリングを構成する他の指に当接させる側の測定用指を、前記オーリングを構成する他の指の長手方向の異なる複数の位置にそれぞれ当接させ、各位置で前記オーリングが開裂するか否かによって基点を定め、又は／及び、前記測定用指の長手方向の異なる複数の位置に前記オーリングを構成する他の指をそれぞれ当接させ、各位置で前記オーリングが開裂するか否かによって基点を定め、前記対象物を被検者の近傍に配置させた状態で、前記測定用指を前記オーリングを構成する他の指の長手方向の異なる複数の位置にそれぞれ当接させ、各位置で前記オーリングが開裂するか否かによって測定点を定め、又は／及び、測定用指の長手方向の異なる複数の位置に前記オーリングを構成する他の指をそれぞれ当接させ、各位置で前記オーリングが開裂するか否かによって測定点を定め、前記測定点と基点との相対位置及び両者間の距離に基づいて、被検者と前記対象物との間の相互作用を求めることを特徴とする。
【００１６】
本発明の測定方法にあっては、被検者の一方の手の第１指の先端部と他の指の先端部とを互いに当接させてオーリングを形成し、このオーリング内に被検者の他方の手の２本の指を挿入し、挿入した２本の指を互いに離隔させて前記オーリングが開裂するか否かによって、被検者と対象物との相互作用を測定する。
【００１７】
すなわち、対象物を被検者から離隔させた状態で、オーリング内に挿入させる２本の指の内のオーリングを構成する他の指に当接させる側の測定用指を、前記オーリングを構成する他の指の長手方向の異なる複数の位置にそれぞれ当接させ、各位置で前記オーリングが開裂するか否かを確認する。ここで、オーリング内に挿入させた２本の指を互いに離隔させる力は、当該被検者において可及的に大きな力を発揮させれば略一定である。かかる力が印加される他の指にあっては、当該他の指の基部位置から先端位置に向かうに連れて力のモーメントが大きくなるため、他の指の基部位置側の位置にあってはオーリングが閉じているが、他の指の先端位置に向かういずれかの位置でオーリングが開裂するので、その位置を基点に定める。
【００１８】
なお、オーリング内に挿入させる２本の指として第１指から第５指のいずれの組み合わせでもよいが、第１指と第２指の組み合わせが操作容易性の観点から好適である。
【００１９】
一方、測定用指から前記他の指に印加される力は、測定用指の先端位置から基部位置に向かうに連れて大きくなるため、測定用指の先端部を前記他の指の長手方向の所定位置に当接させたときはオーリングが閉じているが、測定用指の前記他の指に当接させる位置が基部位置側に向かういずれかの位置でオーリングが開裂するので、その位置を基点に定める。
【００２０】
次に、対象物を被検者の近傍に配置させた状態で、前記測定用指を前記オーリングを構成する他の指の長手方向の異なる複数の位置にそれぞれ当接させ、各位置で前記オーリングが開裂するか否かによって測定点を定める。又は／及び、測定用指の長手方向の異なる複数の位置に前記オーリングを構成する他の指をそれぞれ当接させ、各位置で前記オーリングが開裂するか否かによって測定点を定める。
【００２１】
そして、測定点と対応する基点との相対位置及び両者間の距離に基づいて、被検者と前記対象物との間の相互作用を求める。例えば、測定点が対応する基点より、前記他の指又は測定用指の基部側である場合、当被検者にとって該対象物はマイナスに作用しており、逆に測定点が対応する基点より、前記他の指又は測定用指の先端側である場合、当被検者にとって該対象物はプラスに作用している。そして、プラス又はマイナスの作用の大きさは、測定点と対応する基点との間の距離によって求める。
【００２２】
このように、本発明に係る測定方法にあっては、測定機器を用いることなく、対象物と被検者との相互作用を簡便でより高精度に測定することができる。
【００２３】
（２）本発明に係る測定方法は、前記他の指の長手方向に基点を定めるに当たって、測定用指の長手方向の所定位置を前記他の指に当接させ、又は／及び、前記測定用指の長手方向に基点を定めるに当たって、前記他の指の長手方向の所定位置に測定用指を当接させることを特徴とする。
【００２４】
本発明の測定方法にあっては、前記他の指の長手方向に基点を定めるに当たって、測定用指の長手方向の所定位置を前記他の指に当接させる。測定用指からオーリングを構成する他の指に印加される力は、測定用指の基部位置から先端位置に向かうに連れて小さくなるので、測定用指の長手方向の予め定めた所定の位置を前記他の指に当接させることによって、測定用指から前記他の指に印加される力を一定にする。これによって、他の指の長手方向における基点を高精度に定めることができる。
【００２５】
一方、前記測定用指の長手方向に基点を定めるに当たって、前記他の指の長手方向の所定位置に測定用指を当接させる。前記他の指にあっては、基部位置から先端位置に向かうに連れて小さな力のモーメントが印加されてもオーリングが開裂するので、測定用指の長手方向に基点を定めるに当たって、他の指の長手方向の予め定めた所定の位置に測定用指を当接させることによって、かかる他の指の長手方向の位置の影響を排除することができる。これによって、測定用指の長手方向における基点を高精度に定めることができる。
【００２６】
（３）本発明に係る測定方法は、前記他の指の長手方向、又は／及び、前記測定用指の長手方向に、複数の目盛りを有する計測部を設けておき、測定点と基点との間の距離は計測部を用いて計測することを特徴とする。
【００２７】
本発明の測定方法にあっては、前記他の指の長手方向、又は／及び、前記測定用指の長手方向に、複数の目盛りを有する計測部を設けておく。計測部としては例えば目盛り付きのテープを用いることができる。そして、測定点と基点との間の距離は計測部を用いて計測する。これによって、測定点と基点との間の距離を簡易迅速に計測することができる。
【００２８】
（４）本発明に係る測定方法は、前記測定用指の先端部であって当該測定用指の幅方向の適宜位置に第１目印を設けることを特徴とする。
【００２９】
本発明の測定方法にあっては、測定用指の先端部であって当該測定用指の幅方向の適宜位置に第１目印を設ける。かかる第１目印は線又は矢印等であってよく、ボールペン若しくはマジック、又はテープ等を適用することができる。これによって、前述した基点及び測定点を正確に定めることができる。
【００３０】
（５）本発明に係る測定方法は、予め前記測定用指にその中心軸と直交する第２目印を設け、また前記他の指の先端部にその中心軸と平行な第３目印を設けておき、第２目印及び第３目印を用いて、前記基点及び測定点を定めることを特徴とする。
【００３１】
本発明の測定方法にあっては、予め測定用指にその中心軸と直交する第２目印を設け、また前記他の指の先端部にその中心軸と平行な第３目印を設けておく。かかる第２目印、第３目印は、第１目印同様、線又は矢印等であってよく、ボールペン若しくはマジック、又はテープ等を適用することができる。
【００３２】
そして、前述した基点及び測定点を定めるに当たって、例えば第２目印及び第３目印が一致するように調整する。これによって、測定用指と前記他の指とが直交する姿勢に保たれ、基点及び測定点をより正確に定めることができる。
【図面の簡単な説明】
【００３３】
【図１】本発明に係る測定方法を説明するための説明図である。
【図２】本発明に係る測定方法の原理を説明する説明図である。
【図３】本発明を実施するための第２の形態に係る測定方法を説明する説明図である。
【図４】オーリングテストに係る従来の検出方法を説明する説明図である。
【図５】特許文献１に開示されたオーリングテスト器の構成を説明する説明図である。
【発明を実施するための形態】
【００３４】
本発明に係る測定方法を図面に基づいて詳述する。
なお、本実施の形態で説明する測定方法は、本発明の趣旨を説明する一例であり、本発明はその趣旨を逸脱しない範囲での変形や改造を含むことはいうまでもない。
【００３５】
（発明を実施するための第１の形態）
まず、本発明方法の原理について説明する。
図２は本発明に係る測定方法の原理を説明する説明図であり、利き手が右手である場合を示している。なお、利き手が左手である場合は、左右を逆にすればよい。また、利き手でない側でオーリングを形成すると好適ではあるが、利き手側でオーリングを形成するようにしてもよい。
【００３６】
図２（ａ）に示したように、例えば被検者の左手ＬＨの第１指（親指）ｆ１の先端と、他の指ｆとして例えば第３指（中指）の先端とを互いに当接させて円形になした、所謂オーリングＯを形成する。なお、図２にあっては、第１指ｆ１と第３指とを用いてオーリングＯを形成してあるが、これに限らず、第１指ｆ１及び第２指（人差し指）、第１指ｆ１及び第４指（薬指）、又は第１指ｆ１及び第５指（小指）を用いてオーリングＯを形成してもよい。
【００３７】
このようにして形成したオーリングＯ内に、被検者の右手ＲＨの第１指Ｆ１と測定用指ＦＭである第２指とを挿入させ、挿入させた右手ＲＨの第１指Ｆ１の先端部分を、左手ＬＨのオーリングＯを構成する第１指ｆ１の第１関節当たりに当接させ、また挿入させた右手ＲＨの測定用指ＦＭの先端部分を、左手ＬＨのオーリングＯを構成する第３指の第３関節当たりに当接させた後、右手ＲＨの第１指Ｆ１及び測定用指ＦＭにそれぞれ互いに離隔する方向への力を印加する。
【００３８】
なお、オーリングＯ内に挿入させる指としては、被検者の右手ＲＨの第１指Ｆ１から第５指の中のいずれか２指を用いることができるが、前述した如く、右手の第１指Ｆ１及び第２指を用いた場合、両指を離隔させる力の具合、及び後述するオーリングＯ内での両指の操作のし易さ等の観点から好適である。
【００３９】
ここで、ヒトの指にあっては、第１指はその先端から末節、基節及び中手骨から構成されており、第２指から第５指はその先端から末節、中節、基節及び中手骨で構成されている。前述した如く印加された力は、左手ＬＨのオーリングＯを構成する第１指ｆ１及び他の指ｆにそれぞれ、各中手骨の基端を支点とする力のモーメントとして作用するが、図２（ａ）に示した場合にあっては後述する図２（ｂ）及び（ｃ）に示した場合と比べて、被検者の右手ＲＨの測定用指ＦＭが、左手ＬＨのオーリングＯを構成する他の指ｆの長手方向において前記支点により近い位置に当接しているため、当該他の指ｆに対する力のモーメントが相対的に小さく、従ってオーリングＯが閉じた状態に保持されている。
【００４０】
また、図２（ｂ）に示した場合にあっては、被検者の右手ＲＨの測定用指ＦＭの先端部分を、左手ＬＨのオーリングＯを構成する他の指ｆの第２関節当たりに当接させる以外は前同様の操作を行っているため、左手ＬＨのオーリングＯを構成する他の指ｆに作用する力のモーメントは図２（ａ）に示した場合より相対的に大きいものの、未だオーリングが閉じた状態に保持されている。
【００４１】
これに対して、図２（ｃ）に示した場合にあっては、被検者の右手ＲＨの測定用指ＦＭの先端部分を、左手ＬＨのオーリングＯを構成する他の指ｆの第１関節当たりに当接させる以外は前同様の操作を行っているため、左手ＬＨのオーリングＯを構成する他の指ｆに作用する力のモーメントは図２（ａ）及び（ｂ）に示した場合より大きく、これによって被検者の左手ＬＨのオーリングＯを形成していた第１指ｆ１と他の指ｆとが互いに離隔し、オーリングＯが開いた状態になっている。
【００４２】
このように、被検者の一方の手の第１指とオーリングを構成する他の指の長手方向の異なる位置にそれぞれ、被検者の他方の手の第２指を当接させることによって、当該他の指に異なる大きさの力のモーメントを作用させることができる。
【００４３】
ここで、本発明者らは、オーリングを構成する第１指及び他の指の長手方向の異なる位置においてそれぞれ、当該オーリングを開裂させるに要する力を、空気圧を利用する測定装置（Ｂｉ−Ｄｉｇｉｔａｌ  Ｏ−Ｒｉｎｇ  Ｔｅｓｔ  ＴｙｐｅＯＳＫ５Ｙ（株式会社安川電機製）によって測定したところ、左手のオーリングを構成する第３指の長手方向において前記支点により近い位置に右手の第２指を当接させるほど、前記オーリングを開裂させるのにより強い空気圧を要する一方、前記第３指の長手方向において前記支点からより遠い位置に右手の第２指を当接させるほど、前記オーリングを開裂させるのにより弱い空気圧を要するという知見を得ている。
【００４４】
一方、オーリングＯ内に挿入させた被検者の右手ＲＨの第１指Ｆ１と測定用指ＦＭとを互いに離隔させる力は、当該被検者において可及的に大きな力を発揮させれば略一定であるが、被検者の左手ＬＨのオーリングＯを構成する第１指ｆ１及び他の指ｆの長手方向の同じ位置に、当該オーリングＯ内に挿入させる被検者の右手ＲＨの第１指Ｆ１及び測定用指ＦＭを当接させた場合であっても、当接させた右手ＲＨの第１指Ｆ１及び測定用指ＦＭの長手方向の位置が異なると、左手ＬＨの前記第１指ｆ１及び他の指ｆに作用する力の大きさが異なる。
【００４５】
これに対して、図２に示した如く、オーリングＯ内に挿入させる被検者の右手ＲＨの第１指Ｆ１及び測定用指ＦＭの先端部分を、被検者の左手ＬＨのオーリングＯを構成する第１指ｆ１及び他の指ｆに当接させた場合、右手ＲＨの第１指Ｆ１及び測定用指ＦＭから左手ＬＨの第１指ｆ１及び他の指ｆに作用する力が、左手ＬＨの第１指ｆ１及び他の指ｆの長手方向のいずれの位置であっても同じである。
【００４６】
このように、本発明に係る測定方法にあっては、被検者の右手ＲＨの指から被検者の左手ＬＨのオーリングＯを構成する第１指ｆ１及び他の指ｆの長手方向の異なる複数の位置にそれぞれ同じ力を作用させており、これによって被検者の左手ＬＨのオーリングＯを構成する第１指ｆ１及び他の指ｆの長手方向の位置に基づいた測定を、当該被検者が高精度に実施することができる。
【００４７】
ところで、ヒトと対象物との間の相互作用は、各ヒト毎に、また各対象物毎にそれぞれ異なっており、一の対象物が一のヒトにとってはプラスに作用するが、当該対象物が他の
ヒトにはマイナスに作用することがある。本発明にあっては、このようなプラス又はマイナスとなるヒトと対象物との間の相互作用を、前述した原理に基づいて次のようにして測定する。
【００４８】
図１は本発明に係る測定方法を説明するための説明図であり、図中、ｆは被検者のオーリングを形成する一方の手であって当該オーリングを構成する第１指以外の他の指、またＦＭは被検者のオーリング内に挿入させる他方の手の第１指以外の指である測定用指である。なお、図１にあっては、便宜上、利き手が右手である場合を示しており、利き手が左手である場合は、左右を逆にすればよい。なお、利き手でない側でオーリングを形成すると好適ではあるが、利き手側でオーリングを形成するようにしてもよい。
【００４９】
図１（ａ）に示した如く、一方の手の他の指ｆの腹側の面であって、当該他の指ｆの長手方向の適宜領域に、目盛りが入った第１計測部Ｍ１を設ける。ここで、第１計測部Ｍ１としては、帯材の表面に長手方向へ所定の間隔で目盛りが入れてあり、帯材の裏面に接着材が塗布してあるテープ部材、例えば「ｍｔ  ｅｘ  マスキングテープ  定規  ＭＴＥＸ１Ｐ９６（カモ井加工紙株式会社製）」を用いることができるが、これに限らず、例えばフィルム上に印刷した目盛りを当該他の指ｆに転写するようになしてもよい。
【００５０】
一方、他方の手の測定用指ＦＭの腹側の面であって、指先の略中央位置に、例えば線状の第１目印Ｇ１を当該測定用指ＦＭの長手方向へ適宜の長さに亘って設けておく。かかる第１目印Ｇ１は、例えば油性インクを用いて測定用指ＦＭに表記し、又は線状のテープを貼着することによって設けることができる。なお、第１目印Ｇ１は線状以外に、矢印状等の他の形状であってもよい。
【００５１】
ここで、図１（ａ）に示した如く、前記他方の手の測定用指ＦＭの腹側の面に、前記第１目印Ｇ１と直交する第２目印Ｇ２を設け、また、前記一方の手のオーリングを構成する他の指ｆの腹側の面であって、前記第１計測部Ｍ１の先端前後に亘る領域に、当該他の指ｆの中心線と略平行な線状又は紐状等の第３目印Ｇ３を設けておく。他方の手の測定用指ＦＭに設けた第２目印Ｇ２と一方の手の他の指ｆに設けた第３目印Ｇ３とが一致するように当該測定用指ＦＭの姿勢を調整することによって、他方の手の測定用指ＦＭと一方の手の他の指ｆとが互いに略直交する姿勢に保持することができるため好適である。
【００５２】
そして、被検者の周囲から対象物を離隔させておき、この状態で、被検者の一方の手の第１指と他の指ｆとでオーリングを形成するとともに、被検者の他方の手の第１指と測定用指ＦＭとを当該オーリング内に挿入し、前述した如く、挿入させた他方の手の第１指の先端部分を、一方の手のオーリングを構成する第１指の第１関節当たりに当接させ、また挿入させた他方の手の測定用指ＦＭの先端部分を、オーリングを構成する他の指ｆの第３関節当たりに当接させた（図２（ａ）参照）後、他方の手の第１指及び測定用指ＦＭに互いに離隔する方向への力を印加する操作を１から複数回行って、オーリングが開裂するか否かを判断する。
【００５３】
被検者はオーリングが開裂しないと判断した場合、他方の手の測定用指ＦＭの先端部分を、オーリングを構成する他の指ｆの少し先端側の位置に移動させた後、前同様の操作を行って、オーリングが開裂するか否かを判断する（図２（ｂ）参照）。被検者はオーリングが開裂しないと判断した場合、他方の手の測定用指ＦＭの先端部分を、オーリングを構成する他の指ｆの更に先端側の位置に移動させた後、前同様の操作を行って、オーリングが開裂するか否かを判断する（図２（ｃ）参照）。
【００５４】
被検者はこのような操作を、オーリングが開裂したと判断するまで繰り返し、オーリングが開裂したと判断した場合、図１（ａ）に示した如く、オーリングを構成する他の指ｆに設けた第１計測部Ｍ１上に、オーリング内に挿入した測定用指ＦＭに設けた第１目印Ｇ１の位置を印して基点Ｓとする。
【００５５】
次に、被検者の近傍に対象物を配置させる。例えば、対象物のサイズが比較的小さい場合であれば、被検者の他方の手に把持してもよい。この状態で、被検者はオーリングを形成して前同様の操作を実施し、オーリングが開裂したと判断した場合、図１（ｂ）に示したように、オーリング内に挿入した測定用指ＦＭに設けた第１目印Ｇ１の第１計測部Ｍ１における位置である測定点Ｔを求める。また、被検者は、当該測定点Ｔがオーリングを構成する他の指ｆの前述した如く定めた基点Ｓより先端側であるか否かを判断するとともに、測定点Ｔと基点Ｓとの間の距離を第１計測部Ｍ１の目盛りを用いて計測する。
【００５６】
そして、被検者は、測定点Ｔが他の指ｆの基点Ｓより先端側である場合、オーリングの開裂には、基点Ｓにおける力のモーメントより小さな力のモーメントしか要しなかったため、被検者と当該対象物との相互作用はプラスであると判断する。一方、被検者は、測定点Ｔが他の指ｆに定めた基点Ｓより基部側である場合、オーリングの開裂には、基点Ｓにおける力のモーメントより大きな力のモーメントを要したため、被検者と当該対象物との相互作用はマイナスであると判断する。また、被検者は、測定点Ｔと基点Ｓとの間の距離から、当該相互作用の大きさを判断する。
【００５７】
例えば、図１（ｂ）に示した場合にあっては、測定点Ｔは他の指ｆの基点Ｓより基部側であるので、被検者と当該対象物との相互作用はプラスであり、測定点Ｔと基点Ｓとの間の距離は３５ｍｍであるので、被検者と当該対象物との相互作用の大きさは例えば３５であるとすることができる。
【００５８】
このような測定方法にあっては、測定機器を用いることなく、対象物と被検者との相互作用を簡便でより高精度に測定することができる。
【００５９】
ここで、被検者との相互作用がプラスである対象物にあっては、被検者は取り込むことができる一方、被検者との相互作用がマイナスである対象物にあっては、被検者は低減又は回避することが好ましい。
【００６０】
（発明を実施するための第２の形態）
図３は本発明を実施するための第２の形態に係る測定方法を説明する説明図であり、オーリング内に挿入する他方の手の測定用指ＦＭにも計測部が設けてある。なお、図３中、図１に示した部分に対応する部分には同じ番号を付してその説明を省略する。
【００６１】
図３（ａ）に示したように、被検者の一方の手のオーリングを構成する他の指ｆには前述した第１計測部Ｍ１が設けてあり、また被検者の他方の手のオーリング内に挿入する測定用指ＦＭには第２計測部Ｍ２が前述した第１計測部Ｍ１と同様に設けてある。
【００６２】
被検者のオーリング内に挿入する測定用指ＦＭと第１指とを離隔させて、オーリングにそれを開裂させる力を与える場合、オーリング内に挿入する測定用指ＦＭ及び第１指の先端側をオーリングを構成する他の指ｆ及び第１指に当接させるときに比べて、オーリング内に挿入する測定用指ＦＭ及び第１指の基部側をオーリングを構成する他の指ｆ及び第１指に当接させるときの方が強く作用する。
【００６３】
対象物を被検者から離隔させておき、被検者は、基点Ｓにおいて、オーリング内に挿入する測定用指ＦＭ及び第１指のオーリングを構成する他の指ｆ及び第１指に当接させる位置を、測定用指ＦＭ及び第１指の先端部から徐々に基部側へ移動させつつ、当該オーリングが開裂するか否かを判断し、オーリングが開裂したときの第２計測部Ｍ２における第３目印Ｇ３の位置を第２基点Ｓ２と定める。
【００６４】
次に、対象物を被検者の近傍に配し、図３（ｂ）に示したように、被検者は、前同様、基点Ｓにおいて、オーリング内に挿入する測定用指ＦＭ及び第１指のオーリングを構成する他の指ｆ及び第１指に当接させる位置を、測定用指ＦＭ及び第１指の先端部から徐々に基部側へ移動させつつ、当該オーリングが開裂するか否かを判断し、オーリングが開裂したときの第２計測部Ｍ２における第３目印Ｇ３の位置を測定点Ｔとして求め、また、当該測定点Ｔと第２基点Ｓ２との間の距離を第２計測部Ｍ２の目盛りを用いて計測する。
【００６５】
被検者は、測定点Ｔが第２基点Ｓ２より測定用指ＦＭの基部側である場合、オーリングの開裂には、オーリングに挿入する測定用指ＦＭの先端側における力のモーメントより大きな力のモーメントを要したため、被検者と当該対象物との相互作用はマイナスであると判断する。また、被検者は、測定点Ｔと第２基点Ｓ２との間の距離から、当該相互作用の大きさを判断する。
【００６６】
なお、かかる測定方法を実施する場合、オーリングを構成する他の指ｆの第１計測部Ｍ１は設けておかなくてもよい。
【００６７】
一方、前述した第１計測部Ｍ１を用いた被検者と対象物との間の相互作用の計測と、前述した第２計測部Ｍ２を用いた被検者と対象物との間の相互作用の計測とを組み合わせて実施してもよい。これによって、被検者と対象物との間の相互作用の計測をより広い範囲で実施することができる。
【実施例】
【００６８】
次に、本発明に係る測定方法を実施した結果について説明する。
【００６９】
男性の被検者３名について、対象物である砂糖を把持させて、発明を実施するための形態１で説明した方法に従って、基点に対する測定点の位置、及び両者間の距離をそれぞれ測定した。測定結果を次表に示す。なお、第１から第３被検者の年齢は５０代から６０代である。また、表中の「距離」は、前述した測定点と基点との間の寸法を示しており、基点に対する測定点の位置はプラス又はマイナスで示してある。
【００７０】
【表１】
2019205797.tif 000003
【００７１】
表から明らかなように、同じ対象物である砂糖と被検者との相互作用は、各被検者毎に異なっていた。
【符号の説明】
【００７２】
ｆ      他の指
ｆ１    第１指
ＦＭ    測定用指
Ｆ１    第１指
Ｍ１    第１計測部
Ｍ２    第２計測部
Ｇ１    第１目印
Ｇ２    第２目印
Ｇ３    第３目印
Ｓ      基点
Ｓ２    第２基点
Ｔ      測定点
Ｏ      オーリング
【図１】
2019205797.tif 000004
【図２】
2019205797.tif 000005
【図３】
2019205797.tif 000006
【図４】
2019205797.tif 000007
【図５】
2019205797.tif 000008